(57)【要約】【課題】基板間導通材を用いなくても、少ない部材によって第１基板および第２基板に対する給電を行うことのできる液晶装置および当該液晶装置を備えた電子機器を提供すること。【解決手段】液晶装置１００では、第２基板２０に設けた第２基板側端子２３にフレキシブル配線基板７０の第２電極７３ｃを接続することにより、第２基板２０に形成された共通電極に対する給電を行う。また、第２基板２０に接続したフレキシブル配線基板７０は、第１基板１０にも接続されているため、第１基板１０および第２基板２０に対する給電を１枚のフレキシブル配線基板７０で行うことができる。【選択図】図３
2010266783.tif 000002
【特許請求の範囲】
【請求項１】
一方の基板面に画素電極、走査線およびデータ線が設けられた第１基板と、
前記第１基板の前記一方の基板面に対向する基板面に共通電極が設けられた第２基板と、
前記第１基板と前記第２基板との間に保持された液晶層と、
少なくとも前記第１基板に接続された配線基板と、
を有する液晶装置であって、
前記第１基板の前記基板面には、前記第２基板の端部から張り出した第１基板側張り出し領域に第１基板側端子が設けられ、
前記第２基板の前記基板面には、前記第１基板の端部から張り出した第２基板側張り出し領域に前記共通電極に導通する第２基板側端子が設けられ、
前記配線基板は、前記第１基板側張り出し領域に重なる第１接続領域に前記第１基板側端子に接続された第１電極を備えるとともに、前記第２基板側張り出し領域に重なる第２接続領域に前記第２基板側端子に接続された第２電極を備えていることを特徴とする液晶装置。
【請求項２】
前記第１基板の前記基板面には、前記画素電極が配列された画素領域より外側に、前記走査線に走査信号を出力する走査線駆動回路、および前記データ線にデータ信号を出力するデータ線駆動回路が設けられ、
前記第１基板側端子には、前記走査線駆動回路に電気的接続された走査線駆動回路用端子と、前記データ線駆動回路に電気的接続されたデータ線駆動回路用端子と、が含まれていることを特徴とする請求項１に記載の液晶装置。
【請求項３】
前記配線基板は、前記走査線駆動回路および前記データ線駆動回路の少なくとも一部と平面視で重なっていることを特徴とする請求項２に記載の液晶装置。
【請求項４】
前記配線基板は、前記第１電極を一方の面に備え、前記第２電極を他方の面に備えていることを特徴とする請求項１乃至３の何れか一項に記載の液晶装置。
【請求項５】
前記配線基板は、前記第１接続領域と前記第２接続領域との間に、前記第２接続領域の側を前記第１基板が位置する側に斜めに屈曲させる第１折り曲げ部と、該第１屈曲部よりも前記第２接続領域の側に位置する部分を前記第１基板に平行となるように屈曲させる第２折り曲げ部と、を備えていることを特徴とする請求項４に記載の液晶装置。
【請求項６】
前記第１基板側端子は、前記第１基板の複数の辺に沿って配列されていることを特徴とする請求項１乃至５の何れか一項に記載の液晶装置。
【請求項７】
前記第１基板側端子は、前記第１基板において隣り合う２つの辺に沿って配列されていることを特徴とする請求項６に記載の液晶装置。
【請求項８】
前記配線基板では、前記第１基板の前記２つの辺の一方の辺側に設けられた前記第１電極から延在する配線と、他方の辺側に設けられた前記第１電極から延在する配線とが、互いに接近する方向に向けて斜めに延在していることを特徴とする請求項７に記載の液晶装置。
【請求項９】
前記第１基板側端子は、前記第１基板の相対向する２つの辺に沿って配列されていることを特徴とする請求項６に記載の液晶装置。
【請求項１０】
前記配線基板は、前記画素が複数配列された画素領域の外周側端部に平面視で重なっていることを特徴とする請求項１乃至９の何れか一項に記載の液晶装置。
【請求項１１】
前記第２基板側端子は、前記共通電極から延在した部分であり、
前記第２基板側端子の膜厚は、前記共通電極の膜厚よりも薄いことを特徴とする請求項１乃至１０の何れか一項に記載の液晶装置。
【請求項１２】
請求項１乃至１１の何れか一項に記載の液晶装置を備えていることを特徴とする電子機器。
【発明の詳細な説明】
【技術分野】
【０００１】
本発明は、液晶装置および当該液晶装置を備えた電子機器に関するものである。
【背景技術】
【０００２】
液晶装置は、画素電極、走査線およびデータ線が設けられた第１基板と、共通電極が設けられた第２基板との間に液晶層が保持された構造を有しており、画素電極と共通電極との間に印加された電界により液晶を駆動する。かかる液晶装置では、フレキシブル配線基板を素子基板の端部に接続し、フレキシブル配線基板を介して素子基板に各種信号や定電位を供給する。また、第１基板と第２基板との間に基板間導通材を設け、基板間導通材を介して第２基板の共通電極に共通電位を印加する（特許文献１参照）。
【０００３】
基板間導通材は、樹脂中に導電粒子を含んだ導電材料からなり、画素電極が配列されている画素領域より外周側において第１基板に設けた電極と、第２基板に設けた電極との間に介在する。
【先行技術文献】
【特許文献】
【０００４】
【特許文献１】特開２００３−２４８２３７号公報
【発明の概要】
【発明が解決しようとする課題】
【０００５】
しかしながら、基板間導通材を用いる場合には、導電材料の塗布、硬化などが必要であるため、多大な手間がかかるという問題点もある。また、基板間導通材は、第１基板側の電極の側、あるいは第２基板側の電極に導電材料を塗布した後、第１基板側の電極と第２基板側の電極との間に導電材料を挟むように第１基板と第２基板とを貼り合せた後、硬化させてなるため、電気的な接続の面での信頼性が低い。従って、基板間導通材を用いる場合には、画素領域より外側の領域（周辺領域）に、ある程度広い面積をもった電極を第１基板および第２基板の複数個所に設ける必要がある。このため、液晶装置において、画像の表示に直接寄与しない周辺領域を狭めようとした場合、基板間導通材による導通部が邪魔であるという問題点がある。かといって、第２基板に別のフレキシブル配線基板を接続した構造を採用すると、部品点数が増えるため、コストが上昇してしまう。
【０００６】
以上の問題点に鑑みて、本発明の課題は、基板間導通材を用いなくても、少ない部材によって第１基板および第２基板に対する給電を行うことのできる液晶装置および当該液晶装置を備えた電子機器を提供することにある。
【課題を解決するための手段】
【０００７】
上記課題を解決するために、本発明は、一方の基板面に画素電極、走査線およびデータ線が設けられた第１基板と、前記第１基板の前記一方の基板面に対向する基板面に共通電極が設けられた第２基板と、前記第１基板と前記第２基板との間に保持された液晶層と、少なくとも前記第１基板に接続された配線基板と、を有する液晶装置であって、前記第１基板の前記基板面には、前記第２基板の端部から張り出した第１基板側張り出し領域に第１基板側端子が設けられ、前記第２基板の前記基板面には、前記第１基板の端部から張り出した第２基板側張り出し領域に前記共通電極に導通する第２基板側端子が設けられ、前記配線基板は、前記第１基板側張り出し領域に重なる第１接続領域に前記第１基板側端子に接続された第１電極を備え、前記第２基板側張り出し領域に重なる第２接続領域に前記第２基板側端子に接続された第２電極を備えていることを特徴とする。
【０００８】
本発明では、第２基板に設けた第２基板側端子に配線基板の第２電極を接続することにより、第２基板に形成された共通電極に対する給電を行う。このため、第１基板と第２基板との間に基板間導通材を介在させて当該基板間導通材によって共通電極に給電する構成を採用する必要がないので、信頼性を向上することができる。また、導電材料の塗布、硬化などといった多大な手間がかかる工程が不要である。また、第１基板の画素領域より外側の領域（周辺領域）に基板間導通用の複数の電極を設ける必要がないので、像の表示に直接寄与しない周辺領域を狭めることができる。さらに、第２基板に接続した配線基板は、第１基板にも接続されているため、第１基板および第２基板に対する給電を１枚の配線基板で行うことができる。それ故、部品点数が少なく済む。
【０００９】
本発明において、前記第１基板の前記基板面には、前記画素電極が配列された画素領域より外側に、前記走査線に走査信号を出力する走査線駆動回路、および前記データ線にデータ信号を出力するデータ線駆動回路が設けられ、前記第１基板側端子には、前記走査線駆動回路に電気的接続された走査線駆動回路用端子と、前記データ線駆動回路に電気的接続されたデータ線駆動回路用端子と、が含まれている構成を採用することができる。
【００１０】
本発明において、前記配線基板は、前記走査線駆動回路および前記データ線駆動回路の少なくとも一部と平面視で重なっていることが好ましい。かかる構成によれば、走査線駆動回路およびデータ線駆動回路に侵入しようとする光や電磁波ノイズを配線基板で遮ることができるので、走査線駆動回路およびデータ線駆動回路において、光や電磁波ノイズの入射に起因する誤動作が発生するのを抑制することができる。
【００１１】
本発明において、前記配線基板は、前記第１電極を一方の面に備え、前記第２電極を他方の面に備えた両面基板であることが好ましい。かかる構成によれば、第１基板において第２基板に対向する面側に設けられた第１基板側端子、および第２基板において第１基板に対向する面側に設けられた第２基板側端子に対して配線基板を容易に接続することができる。
【００１２】
本発明において、前記配線基板は、前記第１接続領域と前記第２接続領域との間に、前記第２接続領域の側を前記第１基板が位置する側に斜めに屈曲させる第１折り曲げ部と、該第１屈曲部よりも前記第２接続領域の側に位置する部分を前記第１基板に平行となるように屈曲させる第２折り曲げ部とを備えていることが好ましい。かかる構成によれば、第１基板において第２基板に対向する面側に設けられた第１基板側端子、および第２基板において第１基板に対向する面側に設けられた第２基板側端子に対して配線基板を接続した状態で配線基板に撓みが発生しにくい。従って、配線基板には、撓みに起因する形状復帰力が発生しにくいので、第１基板および第２基板が配線基板から応力を受けることを抑制することができる。
【００１３】
本発明において、前記第１基板側端子は、前記第１基板の複数の辺に沿って配列されていることが好ましい。かかる構成によれば、第１基板側端子の数が多い場合でも、第１基板の辺の長さを不必要に長くする必要がない。
【００１４】
本発明において、前記第１基板側端子は、例えば、前記第１基板において隣り合う２つの辺に沿って配列されている構成を採用することができる。
【００１５】
この場合、前記配線基板では、前記第１基板の前記２つの辺の一方の辺側に設けられた前記第１電極から延在する配線と、他方の辺側に設けられた前記第１電極から延在する配線とが、互いに接近する方向に向けて斜めに延在している構成を採用することができる。かかる構成によれば、配線基板において、第１基板の前記２つの辺の一方の辺と重なる位置から延在する配線の長さと、他方の辺と重なる位置から延在する配線の長さの差を小さくすることができるとともに、各配線の長さ寸法を短くすることができる。このため、配線抵抗に起因する信号波形の劣化などを抑制することができる。
【００１６】
本発明において、前記第１基板側端子は、前記第１基板の相対向する２つの辺に沿って配列されている構成を採用することができる。かかる構成によれば、第１基板の相対向する２つの辺から信号や定電位を第１基板に供給することができる。
【００１７】
本発明において、前記配線基板は、前記画素が複数配列された画素領域の外周側端部に平面視で重なっていることが好ましい。かかる構成によれば、画素領域の外周側端部において液晶の配向が乱れても、かかる領域は配線基板で覆われているので、画像の乱れが視認されることを防止することができる。
【００１８】
本発明において、前記第２基板側端子は、前記共通電極から延在した部分であり、前記第２基板側端子の膜厚は、前記共通電極の膜厚よりも薄いことが好ましい。かかる構成によれば、第１基板において第２基板に対向する面側に設けられた第１基板側端子、および第２基板において第１基板に対向する面側に設けられた第２基板側端子に対して配線基板を接続した状態で配線基板に撓みが発生しにくい。
【００１９】
本発明を適用した液晶装置は、携帯電話機やモバイルコンピューター等の電子機器として用いることができる。また、本発明を適用した液晶装置は、電子機器としての投射型表示装置にも用いることができ、かかる投射型表示装置は、前記液晶装置に光を供給する光源部と、前記液晶装置によって光変調された光を投射する投射光学系と、を備えている。
【図面の簡単な説明】
【００２０】
【図１】本発明の実施の形態１に係る液晶装置の電気的構成を示すブロック図である。
【図２】（ａ）、（ｂ）は各々、本発明の実施の形態１に係る液晶装置の液晶パネルを各構成要素と共に対向基板の側から見た平面図、およびそのＨ−Ｈ′断面図である
【図３】本発明の実施の形態１に係る液晶装置において液晶パネルにフレキシブル配線基板を接続した様子を示す斜視図である。
【図４】（ａ）、（ｂ）、（ｃ）、（ｄ）は各々、本発明の実施の形態１に係る液晶装置において液晶パネルにフレキシブル配線基板を接続した様子を示す平面図、Ａ矢視図、Ｂ矢視図およびフレキシブル配線基板に折り曲げ部分を設ける理由を示す説明図である。
【図５】本発明の実施の形態２に係る液晶装置において液晶パネルにフレキシブル配線基板を接続した様子を示す斜視図である。
【図６】本発明の実施の形態３に係る液晶装置の第１基板の電気的な構成要素のレイアウトを示す説明図である。
【図７】（ａ）、（ｂ）、（ｃ）、（ｄ）は各々、本発明の実施の形態３に係る液晶装置において液晶パネルにフレキシブル配線基板を接続した様子を示す斜視図、平面図およびＣ矢視図である。
【図８】本発明の実施の形態４に係る液晶装置の第１基板の電気的な構成要素のレイアウトを示す説明図である。
【図９】（ａ）、（ｂ）、（ｃ）は、本発明の実施の形態４に係る液晶装置において液晶パネルにフレキシブル配線基板を接続した様子を示す斜視図、平面図およびＤ矢視図である。
【図１０】本発明の別の実施の形態に係る液晶装置の構成を示す説明図である。
【図１１】本発明の別の実施の形態に係る液晶装置の構成を示す説明図である。
【図１２】本発明を適用した液晶装置を用いた電子機器の説明図である。
【発明を実施するための形態】
【００２１】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００２２】
［実施の形態１］
（液晶装置の基本構成）
図１は、本発明の実施の形態１に係る液晶装置の電気的構成を示すブロック図である。図２（ａ）、（ｂ）は各々、本発明の実施の形態１に係る液晶装置の液晶パネルを各構成要素と共に対向基板の側から見た平面図、およびそのＨ−Ｈ′断面図である。
【００２３】
図１に示すように、液晶装置１００は、ＴＮ（Twisted Nematic）モードあるいはＶＡ（Vertical Alignment）モードの液晶パネル１００ｐを有しており、液晶パネル１００ｐは、その中央領域に複数の画素１００ａがマトリクス状に配列された画素領域１１０を備えている。液晶パネル１００ｐにおいて、後述する第１基板１０には、画素領域１１０の内側で複数本の走査線３ａおよび複数本のデータ線６ａが縦横に延びており、走査線３ａとデータ線６ａとの交点に対応する位置に画素１００ａが構成されている。複数の画素１００ａの各々には、電界効果型トランジスターからなる画素トランジスター３０、および後述する画素電極９ａが形成されている。画素トランジスター３０のソースにはデータ線６ａが電気的に接続され、画素トランジスター３０のゲートには走査線３ａが電気的に接続され、画素トランジスター３０のドレインには、画素電極９ａが電気的に接続されている。画素領域１１０において、外周側端部に位置する画素１００ａについては、表示には直接、寄与しないダミーの画素として構成される場合があり、この場合、画素領域１１０のうち、ダミー画素を除いた領域が画像表示領域１２０として利用されることになる。
【００２４】
第１基板１０において、画素領域１１０の外側領域には走査線駆動回路１０４およびデータ線駆動回路１０１が構成されている。データ線駆動回路１０１は、データ保持回路１０２を介して各データ線６ａに電気的に接続しており、画像処理回路から供給される画像信号を各データ線６ａに順次供給する。走査線駆動回路１０４は、各走査線３ａに電気的に接続しており、走査信号を各走査線３ａに順次供給する。本形態において、走査線駆動回路１０４は、走査線３ａの延在方向の一方側に設けられている。かかる走査線駆動回路１０４およびデータ線駆動回路１０１は、例えば、画素トランジスター３０と同時形成された駆動用トランジスターによって構成される。
【００２５】
各画素１００ａにおいて、画素電極９ａは、後述する第２基板に形成された共通電極と液晶を介して対向し、液晶容量５０ａを構成している。また、各画素１００ａには、液晶容量５０ａで保持される画像信号の変動を防ぐために、液晶容量５０ａと並列に保持容量６０が付加されている。本形態では、保持容量６０を構成するために、複数の画素１００ａに跨って走査線３ａと並行して延びた容量線３ｂが形成されている。
【００２６】
図２（ａ）、（ｂ）に示すように、液晶装置１００の液晶パネル１００ｐは、第１基板１０（素子基板）と第２基板２０（対向基板）とが所定の隙間を介してシール材１０７によって貼り合わされた構造を有しており、シール材１０７で囲まれた領域内では、液晶層５０が第１基板１０と第２基板２０との間に保持されている。シール材１０７は、光硬化樹脂や熱硬化性樹脂等からなる接着剤であり、両基板間の距離を所定値とするためのグラスファイバー、あるいはガラスビーズ等のギャップ材が配合されている。
【００２７】
第１基板１０において、一方の基板面１０ｘには画素電極９ａがマトリクス状に形成されている。また、第２基板２０において、第１基板１０に対向する基板面２０ｘには共通電極２１が形成されている。共通電極２１は、第２基板２０の基板面２０ｘにおいて、画素領域１１０の全面に一体あるいはストライプ状に形成されており、複数の画素電極９ａに対向している。第２基板２０には、シール材１０７の内側領域に遮光性材料からなる額縁１０８が形成され、その内側が画像表示領域１２０とされている。
【００２８】
かかる構成の液晶装置１００が透過型液晶装置として構成される場合、バックライト装置（図示せず）から出射された光は、第１基板１０の側から入射して第２基板２０の側から出射される間に液晶層５０によって光変調されて出射される。また、バックライト装置から出射された光が第２基板２０から入射して第１基板１０から出射される間に液晶層５０によって光変調されて出射されることもある。いずれの場合も、透過型の液晶装置１００では、第１基板１０の基板本体１０ｄおよび第２基板２０の基板本体２０ｄには、ガラスや石英基板などの透光性基板が用いられる。また、画素電極９ａおよび共通電極２１には、ＩＴＯ（Indium Tin Oxide）膜などの透光性導電膜が用いられる。
【００２９】
これに対して、液晶装置１００が反射型液晶装置として構成される場合、第２基板２０の側から入射した光が第１基板１０の側で反射して第２基板２０の側から出射される間に液晶層５０によって光変調されて出射される。このため、反射型の液晶装置１００では、共通電極２１にはＩＴＯ膜などの透光性導電膜が用いられる一方、画素電極９ａには、アルミニウムやアルミニウム合金などといったアルミニウム系材料や、銀や銀合金などといった銀系材料からなる反射性電極が用いられる。また、液晶装置１００が反射型液晶装置として構成される場合、第１基板１０の側から入射した光が第２基板２０の側で反射して第１基板１０の側から出射される間に液晶層５０によって光変調されて出射されることもある。この場合、画素電極９ａにはＩＴＯ膜などの透光性導電膜が用いられる一方、共通電極２１にはアルミニウム系材料や銀系材料などの反射性電極が用いられる。
【００３０】
（液晶装置の詳細構成）
図３は、本発明の実施の形態１に係る液晶装置１００において液晶パネル１００ｐにフレキシブル配線基板を接続した様子を示す斜視図である。図４（ａ）、（ｂ）、（ｃ）、（ｄ）は、本発明の実施の形態１に係る液晶装置１００において液晶パネル１００ｐにフレキシブル配線基板を接続した様子を示す平面図、Ａ矢視図、Ｂ矢視図およびフレキシブル配線基板に折り曲げ部分を設ける理由を示す説明図である。なお、図３では、第１基板やフレキシブル配線基板に形成されている端子、電極および配線などについては図示を省略してあり、図４（ａ）では、フレキシブル配線基板に形成されている電極および配線についてはその一部のみを示してある。また、図４（ａ）では、フレキシブル配線基板を太い一点鎖線で示してある。
【００３１】
図２、図３および図４に示すように、本形態の液晶装置１００に用いた液晶パネル１００ｐにおいて、第１基板１０は、４つの辺１０ｅ、１０ｆ、１０ｇ、１０ｈを備えた矩形の平面形状を有している。また、第２基板２０も、第１基板１０と同様、４つの辺２０ｅ、２０ｆ、２０ｇ、２０ｈを備えた矩形の平面形状を有している。本形態において、第１基板１０は第２基板２０より大きく、第１基板１０と第２基板２０とは、ずれた状態でシール材１０７により貼り合わされている。シール材１０７は、第１基板１０と第２基板２０との重なり領域の外周縁に沿って設けられている。
【００３２】
第１基板１０において、辺１０ｅが位置する側の端部は、第２基板２０の辺２０ｅから張り出した第１基板側張り出し領域１０ｒになっており、第１基板１０において、辺１０ｅと隣り合う辺１０ｆが位置する側の端部は、第２基板２０の辺２０ｆから張り出した第１基板側張り出し領域１０ｓになっている。また、第２基板２０において辺２０ｇが位置する側の端部は、第１基板１０の辺１０ｇから張り出した第２基板側張り出し領域２０ｔになっている。
【００３３】
第１基板１０の基板面１０ｘの側には、第１基板側張り出し領域１０ｒに複数の第１基板側端子１３ａ（データ線駆動回路用端子）が形成されており、かかる複数の第１基板側端子１３ａは、辺１０ｅに沿って配列されている。本形態では、データ線駆動回路１０１も、第１基板側端子１３ａと同様、第１基板側張り出し領域１０ｒに形成されており、第１基板側端子１３ａとデータ線駆動回路１０１とは配線１９ａによって電気的に接続されている。
【００３４】
また、第１基板１０の基板面１０ｘの側には、第１基板側張り出し領域１０ｓに複数の第１基板側端子１３ｂ（走査線駆動回路用端子）が形成されており、かかる複数の第１基板側端子１３ｂは、辺１０ｆに沿って配列されている。本形態では、走査線駆動回路１０４も、第１基板側端子１３ｂと同様、第１基板側張り出し領域１０ｓに形成されており、第１基板側端子１３ｂと走査線駆動回路１０４とは配線１９ｂによって電気的に接続されている。
【００３５】
また、第２基板２０の基板面２０ｘの側には、第２基板側張り出し領域２０ｔに、共通電極２１からの延在部分によって第２基板側端子２３が形成されている。
【００３６】
（フレキシブル配線基板の構成）
図３および図４に示すように、本形態の液晶装置１００では、外部から液晶パネル１００ｐに各種信号や定電位を供給することを目的に、液晶パネル１００ｐにフレキシブル配線基板７０（配線基板）が接続されている。フレキシブル配線基板７０は、英文字のＬ字形状を有する本体部分７１と、本体部分７１の端部から延在する帯状部分７２とを備えた両面基板である。本体部分７１は、第１矩形部７１ａと、第１矩形部７１ａの端部から直交する方向に突出した第２矩形部７１ｂとを備えており、帯状部分７２は、第２矩形部７１ｂにおいて第１矩形部７１ａが位置する側とは反対側の端部から延在している。かかる構成のフレキシブル配線基板７０において、基板面１０ｘにはコネクター７９が実装されている。
【００３７】
フレキシブル配線基板７０においてＬ字形状を有する本体部分７１の２つの内縁部分は、第１基板１０の第１基板側張り出し領域１０ｒ、１０ｓの基板面１０ｘ側に対して平面視で重なる第１接続領域７０ｒ、７０ｋになっている。かかるフレキシブル配線基板７０において、ポリイミド樹脂などからなる基材シート７７の一方面７０ｘには、第１接続領域７０ｒ、７０ｋに、第１基板側端子１３ａ、１３ｂに接続される第１電極７３ａ、７３ｂが形成されている。より具体的には、フレキシブル配線基板７０の第１接続領域７０ｒ、７０ｋのうち、第１基板１０の第１基板側張り出し領域１０ｒに重なる第１接続領域７０ｒには、第１基板側端子１３ａに接続される第１電極７３ａが形成されており、第１電極７３ａは、第１基板側端子１３ａに異方性導電材８０ａによって接続されている。また、第１電極７３ａは、フレキシブル配線基板７０の一方面７０ｘに形成された配線（図示せず）によってコネクター７９に電気的に接続されている。このため、外部からコネクター７９、フレキシブル配線基板７０および第１基板側端子１３ａを介してデータ線駆動回路１０１に各種信号や定電位を供給することができる。
【００３８】
また、フレキシブル配線基板７０において、第１基板側張り出し領域１０ｓに重なる第１接続領域７０ｋには、第１基板側端子１３ｂに接続される第１電極７３ｂが形成されており、第１電極７３ｂは、第１基板側端子１３ｂに異方性導電材８０ｂによって接続されている。第１電極７３ｂは、フレキシブル配線基板７０の一方面７０ｘに形成された配線（図示せず）によってコネクター７９に電気的に接続されている。このため、外部からコネクター７９、フレキシブル配線基板７０および第１基板側端子１３ｂを介して走査線駆動回路１０４に各種信号や定電位を供給することができる。
【００３９】
また、フレキシブル配線基板７０の帯状部分７２の先端側は、第２基板２０の第２基板側張り出し領域２０ｔの基板面２０ｘの側に対して平面視で重なる第２接続領域７０ｔになっている。フレキシブル配線基板７０の他方面７０ｙにおいて、第２接続領域７０ｔには、第２基板側端子２３に接続される第２電極７３ｃが形成されており、第２電極７３ｃは、第２基板側端子２３に異方性導電材や導電ペーストなどの導電材８０ｃによって接続されている。第２電極７３ｃは、フレキシブル配線基板７０の他方面７０ｙに形成された配線（図示せず）によって外部端子７８に電気的に接続されている。このため、外部からフレキシブル配線基板７０を介して共通電極２１に共通電位を供給することができる。
【００４０】
ここで、第１基板１０は、第２基板２０に対向する基板面１０ｘに第１基板側端子１３ａ、１３ｂを備え、かかる第１基板側端子１３ａ、１３ｂに対して、フレキシブル配線基板７０の一方面７０ｘに形成された第１電極７３ａ、７３ｂが接続している。また、第２基板２０は、第１基板１０に対向する基板面２０ｘに第２基板側端子２３を備え、かかる第２基板側端子２３に対して、フレキシブル配線基板７０の他方面７０ｙに形成された第２電極７３ｃが接続している。かかる接続構造を採用するにあたって、本形態では、第１基板側端子１３ａ、１３ｂの表面と、第２基板側端子２３の表面とを対比すると、第１基板側端子１３ａ、１３ｂの表面と第２基板側端子２３の表面とは略同一平面上にあるか、あるいは、第１基板側端子１３ａ、１３ｂの表面より第２基板側端子２３の表面が第１基板１０の側に位置している。このため、フレキシブル配線基板７０の第１電極７３ａ、７３ｂを第１基板１０の第１基板側端子１３ａ、１３ｂに接続し、フレキシブル配線基板７０の第２電極７３ｃを第２基板２０の第２基板側端子２３に接続すると、図４（ｄ）に示すように、帯状部分７２の根元部分が湾曲する。その結果、帯状部分７２の根元部分には、矢印Ｆ１、Ｆ２で示すような反力（形状復帰力）が発生し、かかる形状復帰力は、例えば、第２基板側張り出し領域２０ｔに第１基板１０から引き離そうとする向き応力を発生させてしまう。
【００４１】
そこで、本形態で用いたフレキシブル配線基板７０において、第１接続領域７０ｋと第２接続領域７０ｔとの間には、第１接続領域７０ｋの側からみたとき、第２接続領域７０ｔの側を第１基板１０が位置する下方側に斜めに屈曲させる第１折り曲げ部７５ａと、第１折り曲げ部７５ａよりも第２接続領域７０ｔの側に位置する部分を第１基板１０に平行となるように屈曲させる第２折り曲げ部７５ｂとが形成されている。本形態では、第１折り曲げ部７５ａおよび第２折り曲げ部７５ｂを備えた折り曲げ部分７５は、フレキシブル配線基板７０の帯状部分７２の根元部分に形成されている。このため、フレキシブル配線基板７０の第１電極７３ａ、７３ｂを第１基板１０の第１基板側端子１３ａ、１３ｂに接続し、フレキシブル配線基板７０の第２電極７３ｃを第２基板２０の第２基板側端子２３に接続しても、帯状部分７２の根元部分には形状復帰力が発生しにくい。
【００４２】
（本形態の主な効果）
以上説明したように、本形態の液晶装置１００では、第２基板２０に設けた第２基板側端子２３にフレキシブル配線基板７０の第２電極７３ｃを接続することにより、第２基板２０に形成された共通電極２１に対する給電を行う。このため、第１基板１０と第２基板２０との間に介在させた基板間導通材によって共通電極２１に給電する構成を採用する必要がない。このため、基板間導通材を形成するための導電材料の塗布、硬化などといった多大な手間がかかる工程が不要である。また、第１基板１０の画素領域１１０より外側の領域（周辺領域）に基板間導通用の電極を設ける必要がないので、画像の表示に直接寄与しない周辺領域を狭めることができる。
【００４３】
また、第２基板２０に接続したフレキシブル配線基板７０は、第１基板１０にも接続されている。このため、第１基板１０および第２基板２０に対する給電を１枚のフレキシブル配線基板７０で行うことができるので、部品点数が少なく済む。
【００４４】
さらに、第２基板２０の共通電極２１は、第２基板側端子２３およびフレキシブル配線基板７０を介して外部に電気的に接続されているため、第１基板１０で用いられていない電位を印加することもできる。それ故、液晶装置１００において反転駆動する際、共通電極２１の電位を容易に変化させることもできる。
【００４５】
また、本形態では、フレキシブル配線基板７０が両面基板であるため、第１基板１０において第２基板２０に対向する基板面１０ｘ側に設けられた第１基板側端子１３ａ、１３ｂ、および第２基板２０において第１基板１０に対向する基板面２０ｘ側に設けられた第２基板側端子２３に対してフレキシブル配線基板７０を容易に接続することができる。
【００４６】
また、第１基板側端子１３ａ、１３ｂは、第１基板１０の２つの辺１０ｅ、１０ｆに分割して配列されているため、第１基板側端子１３ａ、１３ｂの数が多い場合でも、第１基板１０の辺の長さを不必要に長くする必要がない。それ故、駆動方式としてデジタル方式を採用した場合のように多数の信号を扱うことを目的に、多数の第１基板側端子１３ａ、１３ｂを必要とする場合でも、第１基板１０の辺の長さを長くすることなく対応することができる。
【００４７】
［実施の形態２］
図５は、本発明の実施の形態２に係る液晶装置１００において液晶パネル１００ｐにフレキシブル配線基板を接続した様子を示す斜視図である。なお、本形態の基本的な構成は、実施の形態１と同様であるため、共通する部分には同一の符号を付してそれらの説明を省略する。
【００４８】
図５に示すように、本形態の液晶装置１００に用いた液晶パネル１００ｐでも、実施の形態１と同様、第１基板１０において、辺１０ｅが位置する側の端部は、第２基板２０の辺２０ｅから張り出した第１基板側張り出し領域１０ｒになっており、第１基板１０において、辺１０ｅと隣り合う辺１０ｆが位置する側の端部は、第２基板２０の辺２０ｆから張り出した第１基板側張り出し領域１０ｓになっている。また、第２基板２０において辺２０ｇが位置する側の端部は、第１基板１０の辺１０ｇから張り出した第２基板側張り出し領域２０ｔになっている。
【００４９】
第１基板１０の基板面１０ｘの側には、第１基板側張り出し領域１０ｒに複数の第１基板側端子１３ａが形成されており、かかる複数の第１基板側端子１３ａは、辺１０ｅに沿って配列されている。また、第１基板１０の基板面１０ｘの側には、第１基板側張り出し領域１０ｓに複数の第１基板側端子１３ｂが形成されており、かかる複数の第１基板側端子１３ｂは、辺１０ｆに沿って配列されている。また、第２基板２０の基板面２０ｘの側には、第２基板側張り出し領域２０ｔに、共通電極２１からの延在部分によって第２基板側端子２３が形成されている。
【００５０】
本形態の液晶装置１００では、外部から液晶パネル１００ｐに各種信号や定電位を供給することを目的に、液晶パネル１００ｐにフレキシブル配線基板７０が接続されている。フレキシブル配線基板７０は、英文字のＬ字形状を有する本体部分７１と、本体部分７１から延在する帯状部分７２とを備えた両面基板である。本体部分７１は、第１矩形部７１ａと、第１矩形部７１ａの端部から直交する方向に突出した第２矩形部７１ｂとを備えている。
【００５１】
かかるフレキシブル配線基板７０において第１基板１０の第１基板側張り出し領域１０ｒ、１０ｓの基板面１０ｘ側に対して平面視で重なる第１接続領域７０ｒ、７０ｋには、第１基板側端子１３ａ、１３ｂに接続される第１電極７３ａ、７３ｂが形成されている。また、フレキシブル配線基板７０の帯状部分７２の先端側は、第２基板２０の第２基板側張り出し領域２０ｔの基板面２０ｘの側に対して平面視で重なる第２接続領域７０ｔになっており、かかる第２接続領域７０ｔには、第２基板側端子２３に接続される第２電極７３ｃが形成されている。
【００５２】
本形態で用いたフレキシブル配線基板７０において、本体部分７１は、第１矩形部７１ａと第２矩形部７１ｂとが連接する角部分から外側に向かって第３矩形部７１ｃが斜めに延在しており、かかる第３矩形部７１ｃの端部にコネクター７９が実装されている。このため、フレキシブル配線基板７０において、第１接続領域７０ｒの第１電極７３ａからは、第１矩形部７０ａおよび第３矩形部７０ｃを経由してコネクター７９まで配線７６ａが延在し、第１接続領域７０ｋの第１電極７３ｂからは、第２矩形部７０ｂおよび第３矩形部７０ｃを経由してコネクター７９まで配線７６ｂが延在している。従って、配線７６ａおよび配線７６ｂは、互いに接近する方向に向けて斜めに延在している。
【００５３】
それ故、本形態によれば、フレキシブル配線基板７０では、第１基板１０の２つの辺１０ｅ、１０ｆのうちの一方の辺１０ｅと重なる位置から延在する配線７６ａの長さと、他方の辺１０ｆと重なる位置から延在する配線７６ｂの長さとの差を小さくすることができる。また、配線７６ａ、７６ｂの長さ寸法を短くすることができる。このため、配線抵抗に起因する信号波形の劣化などを抑制することができる。
【００５４】
［実施の形態３］
図６は、本発明の実施の形態３に係る液晶装置１００の第１基板１０の電気的な構成要素のレイアウトを示す説明図である。図７（ａ）、（ｂ）、（ｃ）は、本発明の実施の形態３に係る液晶装置１００において液晶パネル１００ｐにフレキシブル配線基板を接続した様子を示す斜視図、平面図およびＣ矢視図である。なお、図７（ａ）では、第１基板やフレキシブル配線基板に形成されている端子、電極および配線などについては図示を省略してあり、図７（ｂ）では、フレキシブル配線基板に形成されている電極および配線についてはその一部のみを示してある。また、図７（ｂ）では、フレキシブル配線基板を太い一点鎖線で示してある。
【００５５】
図６および図７に示すように、本形態の液晶装置１００に用いた第１基板１０では、画素領域１１０を走査線の延在方向の両側で挟む２箇所に走査線駆動回路１０４が設けられている。本形態でも、第１基板１０は、４つの辺１０ｅ、１０ｆ、１０ｇ、１０ｈを備えた矩形の平面形状を有している。また、第２基板２０も、第１基板１０と同様、４つの辺２０ｅ、２０ｆ、２０ｇ、２０ｈを備えた矩形の平面形状を有している。また、第２基板２０は第１基板１０より幅寸法が大きく、第１基板１０と第２基板２０とは、ずれた状態に貼り合わされている。
【００５６】
本形態では、第１基板１０において、辺１０ｅが位置する側の端部が、第２基板２０の辺２０ｅから張り出した第１基板側張り出し領域１０ｒになっており、第１基板１０において第２基板２０と対向する基板面１０ｘでは、第１基板側張り出し領域１０ｒに、データ線駆動回路１０１に電気的に接続された複数の第１基板側端子１３ａが辺１０ｅに沿って配列されている。
【００５７】
本形態では、走査線駆動回路１０４に電気的に接続された複数の第１基板側端子１３ｂも、第１基板側端子１３ａと同様、第１基板１０において第２基板２０と対向する基板面１０ｘにおいて、第１基板側張り出し領域１０ｒで辺１０ｅに沿って配列されている。ここで、第１基板側端子１３ｂは、第１基板側端子１３ａの両側で設けられ、第１基板側端子１３ａと第１基板側端子１３ｂとは一列に配列されている。
【００５８】
また、第２基板２０では、相対向する辺２０ｆ、２０ｈが位置する側の端部が、第１基板１０の辺１０ｆ、１０ｈから張り出した第２基板側張り出し領域２０ｓ、２０ｕになっている。第２基板２０において第１基板１０と対向する基板面２０ｘでは、第２基板側張り出し領域２０ｓ、２０ｕに、共通電極２１からの延在部分によって第２基板側端子２３ｓ、２３ｕが形成されている。
【００５９】
本形態の液晶装置１００でも、実施の形態１と同様、外部から液晶パネル１００ｐに各種信号や定電位を供給することを目的に、液晶パネル１００ｐにフレキシブル配線基板７０が接続されている。フレキシブル配線基板７０は、本体部分７４ａと、本体部分７４ａの幅方向の両端から延在する２本の帯状部分７２ａ、７２ｂとを備えた両面基板であり、フレキシブル配線基板７０において第２基板２０と対向する一方面７０ｘの側にコネクター７９が実装されている。
【００６０】
フレキシブル配線基板７０の本体部分７４ａにおいて、帯状部分７２ａ、７２ｂで挟まれた縁部分は、第１基板１０の第１基板側張り出し領域１０ｒの基板面１０ｘ側に対して平面視で重なる第１接続領域７０ｒになっている。フレキシブル配線基板７０の一方面７０ｘにおいて、第１接続領域７０ｒには、異方性導電材８０ｅによって第１基板側端子１３ａ、１３ｂに接続される第１電極７３ａ、７３ｂが形成されており、かかる第１電極７３ａ、７３ｂは配線を介してコネクター７９に電気的に接続されている。このため、図６に矢印Ｖ１、Ｖ２で示すように、外部からコネクター７９、フレキシブル配線基板７０および第１基板側端子１３ａを介してデータ線駆動回路１０１やデータ保持回路１０２に各種信号や定電位を供給することができる。また、図６に矢印Ｖ３で示すように、外部からコネクター７９、フレキシブル配線基板７０および第１基板側端子１３ｂを介して走査線駆動回路１０４に各種信号や定電位を供給することができる。
【００６１】
また、フレキシブル配線基板７０の帯状部分７２ａ、７２ｂの先端側は、第２基板２０の第２基板側張り出し領域２０ｓ、２０ｕの基板面２０ｘの側に対して平面視で重なる第２接続領域７０ｓ、７０ｕになっている。フレキシブル配線基板７０の他方面７０ｙにおいて、第２接続領域７０ｓ、７０ｕには、第２基板側端子２３ｓ、２３ｕに接続される第２電極７３ｓ、７３ｕが形成されており、第２電極７３ｓ、７３ｕは、第２基板側端子２３ｓ、２３ｕに異方性導電材や導電ペーストなどの導電材８０ｓ、８０ｕによって接続されている。第２電極７３ｓ、７３ｕは、フレキシブル配線基板７０の他方面７０ｙに形成された配線（図示せず）によって外部端子７８に電気的に接続されている。このため、外部からフレキシブル配線基板７０を介して共通電極２１に共通電位を供給することができる。
【００６２】
ここで、フレキシブル配線基板７０の一方面７０ｘにおいて、第１接続領域７０ｒを第１基板１０の基板面１０ｘに接続し、フレキシブル配線基板７０の他方面７０ｙにおいて、第２接続領域７０ｓ、７０ｕを第２基板２０の基板面２０ｘに接続すると、図４（ｄ）を参照して説明したように、帯状部分７２ａ、７２ｂの根元部分が湾曲し、形状復帰力が発生してしまう。そこで、本形態でも、実施の形態１と同様、フレキシブル配線基板７０において、第１接続領域７０ｒと第２接続領域７０ｓとの間（帯状部分７２ａの根元部分）、および第１接続領域７０ｒと第２接続領域７０ｕとの間（帯状部分７２ｂの根元部分）には、第１接続領域７０ｒの側からみたとき、第２接続領域７０ｓ、７０ｕの側を第１基板１０が位置する側に斜めに屈曲させる第１折り曲げ部７５ａと、第１折り曲げ部７５ａよりも第２接続領域７０ｓ、７０ｕの側に位置する部分を第１基板１０に平行となるように屈曲させる第２折り曲げ部７５ｂとを備えた折り曲げ部分７５が設けられている。
【００６３】
以上説明したように、本形態の液晶装置１００でも、実施の形態１と同様、第２基板２０に設けた第２基板側端子２３ｓ、２３ｕにフレキシブル配線基板７０の第２電極７３ｓ、７３ｕを接続することにより、第２基板２０に形成された共通電極２１に対する給電を行う。このため、第１基板１０と第２基板２０との間に介在させた基板間導通材によって共通電極２１に給電する構成を採用する必要がない。従って、基板間導通材を形成するための導電材料の塗布、硬化などといった多大な手間がかかる工程が不要である。また、第１基板１０の画素領域１１０より外側の領域（周辺領域）に基板間導通用の電極を設ける必要がないので、画像の表示に直接寄与しない周辺領域を狭めることができる。また、第２基板２０に接続したフレキシブル配線基板７０は、第１基板１０にも接続されているため、第１基板１０および第２基板２０に対する給電を１枚のフレキシブル配線基板７０で行うことができるなど、実施の形態１と同様な効果を奏する。
【００６４】
［実施の形態４］
図８は、本発明の実施の形態４に係る液晶装置１００の第１基板１０の電気的な構成要素のレイアウトを示す説明図である。図９（ａ）、（ｂ）、（ｃ）は、本発明の実施の形態４に係る液晶装置１００において液晶パネル１００ｐにフレキシブル配線基板を接続した様子を示す斜視図、平面図およびＤ矢視図である。なお、図９（ａ）では、第１基板やフレキシブル配線基板に形成されている端子、電極および配線などについては図示を省略してあり、図９（ｂ）では、フレキシブル配線基板に形成されている電極および配線についてはその一部のみを示してある。また、図９（ｂ）では、フレキシブル配線基板を太い一点鎖線で示してある。
【００６５】
図８および図９に示すように、本形態の液晶装置１００に用いた第１基板１０では、画素領域１１０を走査線の延在方向の両側で挟む２箇所に走査線駆動回路１０４が設けられている。本形態でも、第１基板１０は、４つの辺１０ｅ、１０ｆ、１０ｇ、１０ｈを備えた矩形の平面形状を有している。また、第２基板２０も、第１基板１０と同様、４つの辺２０ｅ、２０ｆ、２０ｇ、２０ｈを備えた矩形の平面形状を有している。また、第２基板２０は第１基板１０より幅寸法が大きく、第１基板１０と第２基板２０とは、ずれた状態で貼り合わされている。
【００６６】
本形態では、第１基板１０において、辺１０ｅ、１０ｇが位置する側の端部が、第２基板２０の辺２０ｅ、１０ｇから張り出した第１基板側張り出し領域１０ｒ、１０ｔになっており、第１基板１０において第２基板２０と対向する基板面１０ｘでは、第１基板側張り出し領域１０ｒに、データ線駆動回路１０１に電気的に接続された複数の第１基板側端子１３ａが辺１０ｅに沿って配列されている。また、走査線駆動回路１０４に電気的に接続された複数の第１基板側端子１３ｂは、第１基板１０において第２基板２０と対向する基板面１０ｘにおいて、第１基板側張り出し領域１０ｔで辺１０ｇに沿って配列されている。
【００６７】
第２基板２０では、相対向する辺２０ｆ、２０ｈが位置する側の端部が、第１基板１０の辺１０ｆ、１０ｈから張り出した第２基板側張り出し領域２０ｓ、２０ｕになっている。第２基板２０において第１基板１０と対向する基板面２０ｘでは、第２基板側張り出し領域２０ｓ、２０ｕに、共通電極２１からの延在部分によって第２基板側端子２３ｓ、２３ｕが形成されている。
【００６８】
本形態の液晶装置１００でも、実施の形態１と同様、外部から液晶パネル１００ｐに各種信号や定電位を供給することを目的に、液晶パネル１００ｐにフレキシブル配線基板７０が接続されている。フレキシブル配線基板７０は、本体部分７４ａと、本体部分７４ａの幅方向の両端から延在する２本の帯状部分７２ａ、７２ｂと、帯状部分７２ａ、７２ｂの先端部を連結する連結部分７４ｂｂを備えた両面基板であり、フレキシブル配線基板７０において第２基板２０と対向する一方面７０ｘの側にコネクター７９が実装されている。
【００６９】
フレキシブル配線基板７０の本体部分７４ａにおいて、帯状部分７２ａ、７２ｂで挟まれた縁部分は、第１基板１０の第１基板側張り出し領域１０ｒの基板面１０ｘ側に対して平面視で重なる第１接続領域７０ｒになっている。フレキシブル配線基板７０の一方面７０ｘにおいて、第１接続領域７０ｒには、異方性導電材８０ｒによって第１基板側端子１３ａに接続される第１電極７３ｒが形成されており、かかる第１電極７３ｒは配線を介してコネクター７９に電気的に接続されている。このため、図８に矢印Ｖ１、Ｖ２で示すように、外部からコネクター７９、フレキシブル配線基板７０および第１基板側端子１３ａを介してデータ線駆動回路１０１やデータ保持回路１０２に各種信号や定電位を供給することができる。
【００７０】
また、フレキシブル配線基板７０の連結部分７４ｂにおいて、帯状部分７２ａ、７２ｂで挟まれた縁部分は、第１基板１０の第１基板側張り出し領域１０ｔの基板面１０ｘ側に対して平面視で重なる第１接続領域７０ｗになっている。フレキシブル配線基板７０の一方面７０ｘにおいて、第１接続領域７０ｗには、異方性導電材８０ｗによって第１基板側端子１３ｂに接続される第１電極７３ｗが形成されており、かかる第１電極７３ｗは配線を介してコネクター７９に電気的に接続されている。このため、図８に矢印Ｖ３で示すように、外部からコネクター７９、フレキシブル配線基板７０および第１基板側端子１３ｂを介して走査線駆動回路１０４に各種信号や定電位を供給することができる。
【００７１】
また、フレキシブル配線基板７０の帯状部分７２ａ、７２ｂの先端側は、第２基板２０の第２基板側張り出し領域２０ｓ、２０ｕの基板面２０ｘの側に対して平面視で重なる第２接続領域７０ｓ、７０ｕになっている。フレキシブル配線基板７０の他方面７０ｙにおいて、第２接続領域７０ｓ、７０ｕには、第２基板側端子２３ｓ、２３ｕに接続される第２電極７３ｓ、７３ｕが形成されており、第２電極７３ｓ、７３ｕは、第２基板側端子２３ｓ、２３ｕに異方性導電材や導電ペーストなどの導電材８０ｓ、８０ｕによって接続されている。第２電極７３ｓ、７３ｕは、フレキシブル配線基板７０の他方面７０ｙに形成された配線（図示せず）によって外部端子７８に電気的に接続されている。このため、外部からフレキシブル配線基板７０を介して共通電極２１に共通電位を供給することができる。
【００７２】
ここで、フレキシブル配線基板７０の第１接続領域７０ｒ、７０ｗを第１基板１０の基板面１０ｘに接続し、フレキシブル配線基板７０の第２接続領域７０ｓ、７０ｕを第２基板２０の基板面２０ｘに接続すると、図４（ｄ）を参照して説明したように、帯状部分７２ａ、７２ｂと本体部分７４ａとの接続部分、および帯状部分７２ａ、７２ｂと連結部分７４ｂとの接続部分が湾曲し、形状復帰力が発生してしまう。そこで、本形態でも、実施の形態１と同様、フレキシブル配線基板７０において、第１接続領域７０ｒと第２接続領域７０ｓとの間（帯状部分７２ａと本体部分７４ａとの接続部分）、第１接続領域７０ｒと第２接続領域７０ｕとの間（帯状部分７２ｂと本体部分７４ａとの接続部分）、第１接続領域７０ｗと第２接続領域７０ｓとの間（帯状部分７２ａと連結部分７４ｂとの接続部分）、および第１接続領域７０ｗと第２接続領域７０ｕとの間（帯状部分７２ｂと連結部分７４ｂｂとの接続部分）には折り曲げ部分７５が設けられている。かかる折り曲げ部分７５は、第１接続領域７０ｒ、７０ｗの側からみたとき、第２接続領域７０ｓ、７０ｕの側を第１基板１０が位置する側に斜めに屈曲させる第１折り曲げ部７５ａと、第１折り曲げ部７５ａよりも第２接続領域７０ｓ、７０ｕの側に位置する部分を第１基板１０に平行となるように屈曲させる第２折り曲げ部７５ｂとを備えている。
【００７３】
以上説明したように、本形態の液晶装置１００でも、実施の形態１と同様、第２基板２０に設けた第２基板側端子２３ｓ、２３ｕにフレキシブル配線基板７０の第２電極７３ｓ、７３ｕを接続することにより、第２基板２０に形成された共通電極２１に対する給電を行う。このため、第１基板１０と第２基板２０との間に介在させた基板間導通材によって共通電極２１に給電する構成を採用する必要がない。従って、基板間導通材を形成するための導電材料の塗布、硬化などといった多大な手間がかかる工程が不要である。また、第１基板１０の画素領域１１０より外側の領域（周辺領域）に基板間導通用の電極を設ける必要がないので、画像の表示に直接寄与しない周辺領域を狭めることができる。また、第２基板２０に接続したフレキシブル配線基板７０は、第１基板１０にも接続されているため、第１基板１０および第２基板２０に対する給電を１枚のフレキシブル配線基板７０で行うことができるなど、実施の形態１と同様な効果を奏する。
【００７４】
なお、本形態では、画素領域１１０を挟んで対向する領域の一方に、データ線駆動回路１０１に電気的に接続する第１基板側端子１３ａを設け、他方に走査線駆動回路１０４に電気的に接続する第１基板側端子１３ｂを設けた。但し、画素領域１１０を挟んで対向する領域の一方に第１基板側端子１３ａ、１３ｂを設け、他方に第１基板側端子１３ａ、１３ｂのうちの一方を設けた構成を採用してもよい。また、画素領域１１０を挟んで対向する領域の双方に第１基板側端子１３ａ、１３ｂを設けてもよい。
【００７５】
［他の実施の形態］
図１０および図１１は、本発明の別の実施の形態に係る液晶装置の構成を示す説明図である。なお、以下の説明では、実施の形態３で説明した構成をベースにして、以下に説明する構成を追加した形態を説明する。
【００７６】
上記実施の形態３では、データ線駆動回路１０１や走査線駆動回路１０４がフレキシブル配線基板７０から露出した構成になっていたが、図１０（ａ）に示すように、データ線駆動回路１０１および走査線駆動回路１０４の一部あるいは全体がフレキシブル配線基板７０により覆われている構成を採用してもよい。この場合、データ線駆動回路１０１および走査線駆動回路１０４は、フレキシブル配線基板７０に形成された銅層などの遮光膜で覆われていることが好ましい。
【００７７】
このように構成すると、走査線駆動回路１０４およびデータ線駆動回路１０１に侵入しようとする光や電磁波ノイズをフレキシブル配線基板７０で遮ることができるので、走査線駆動回路１０４およびデータ線駆動回路１０１において、光や電磁波ノイズの入射に起因する誤動作が発生するのを抑制することができる。
【００７８】
また、図１０（ｂ）に示すように、画素領域１１０の外周側端部がフレキシブル配線基板７０により覆われている構成を採用してもよい。このように構成すると、画素領域１１０の外周側端部において液晶の配向が乱れても、かかる領域はフレキシブル配線基板７０で覆われているので、画像の乱れが視認されることを防止することができる。
【００７９】
また、上記実施の形態３では、共通電極２１と第２基板側端子２３ｓとを同時形成した導電膜からなるため、共通電極２１の膜厚と第２基板側端子２３ｓの膜厚とは同一であったが、図１１に示すように、第２基板側端子２３ｓの膜厚ｄ2を共通電極２１の膜厚ｄ1も薄くしてもよい。かかる構成を採用すると、第１基板１０の基板面１０ｘから第２基板側端子２３ｓの表面までの距離ｈ1を広げることができる。従って、フレキシブル配線基板７０の一方面７０ｘに形成された第１電極７３ｒを第１基板１０の第１基板側端子１３ａに接続し、フレキシブル配線基板７０の他方面７０ｙに形成された第２電極７３ｓを第２基板２０の第２基板側端子２３ｓに接続する際、図７などを参照して説明した折り曲げ部分７５の折り曲げを小さくすることができる。
【００８０】
なお、図１０および図１１には、実施の形態３に係る液晶装置１００において上記構成を採用した例を示したが、上記構成は、実施の形態１、２、４に係る液晶装置１００において採用してもよい。
【００８１】
また、上記実施形態１〜４では、走査線駆動回路１０４およびデータ線駆動回路１０１が、画素トランジスター３０と同時形成された駆動用トランジスターによって構成された例を説明したが、走査線駆動回路１０４およびデータ線駆動回路１０１が第１基板１０に実装されたＩＣに内蔵された液晶装置に本発明を適用してもよい。
【００８２】
［電子機器への搭載例］
本発明を適用した液晶装置１００を反射型として構成した場合、液晶装置１００については、図１２（ａ）に示す投射型表示装置（液晶プロジェクター／電子機器）や、図１２（ｂ）、（ｃ）に示す携帯用電子機器に用いることができる。
【００８３】
まず、図１２（ａ）に示す電子機器は、投射型表示装置１０００であり、光源部８９０は、システム光軸Ｌに沿って光源８１０、インテグレーターレンズ８２０および偏光変換素子８３０が配置された偏光照明装置８００を有している。また、光源部８９０は、システム光軸Ｌに沿って、偏光照明装置８００から出射されたＳ偏光光束をＳ偏光光束反射面８４１により反射させる偏光ビームスプリッター８４０と、偏光ビームスプリッター８４０のＳ偏光光束反射面８４１から反射された光のうち、青色光（Ｂ）の成分を分離するダイクロイックミラー８４２と、青色光が分離された後の光束のうち、赤色光（Ｒ）の成分を反射させて分離するダイクロイックミラー８４３とを有している。
【００８４】
また、投射型表示装置１０００は、各色光が入射する３つの反射型の液晶装置１００（液晶装置１００Ｒ、１００Ｇ、１００Ｂ）を備えており、光源部８９０は、３つの液晶装置１００（液晶装置１００Ｒ、１００Ｇ、１００Ｂ）に所定の色光を供給する。
【００８５】
かかる投射型表示装置１０００においては、３つの液晶装置１００Ｒ、１００Ｇ、１００Ｂにて変調された光をダイクロイックミラー８４２、８４３、および偏光ビームスプリッター８４０にて合成した後、この合成光を投射光学系８５０によってスクリーン８６０等の被投射部材に投射する。
【００８６】
なお、投射型表示装置については、光源部として、各色の光を出射するＬＥＤ光源等を用い、かかるＬＥＤ光源から出射された色光を各々、別の液晶装置に供給するように構成してもよい。
【００８７】
また、図１２（ｂ）に示す携帯電話機３０００は、複数の操作ボタン３００１、スクロールボタン３００２、並びに表示ユニットとしての反射型の液晶装置１００を備える。スクロールボタン３００２を操作することによって、液晶装置１００に表示される画面がスクロールされる。図１２（ｃ）に示す情報携帯端末４０００（ＰＤＡ：Personal Digital Assistants）は、複数の操作ボタン４００１、電源スイッチ４００２、並びに表示ユニットとしての反射型の液晶装置１００を備えており、電源スイッチ４００２を操作すると、住所録やスケジュール帳といった各種の情報が液晶装置１００に表示される。
【００８８】
なお、図示を省略するが、液晶装置１００を透過型として構成した場合も、液晶装置１００については、投射型表示装置や携帯用電子機器に用いることができる。
【符号の説明】
【００８９】
９ａ・・画素電極、１０・・第１基板、１０ｒ、１０ｓ、１０ｔ・・第１基板側張り出し領域、１０ｘ、２０ｘ・・基板面、１３ａ、１３ｂ・・第１基板側端子、２０・・第２基板、２０ｓ、２０ｔ、２０ｕ・・第２基板側張り出し領域、２１・・共通電極、２３、２３ｓ、２３ｕ・・第２基板側端子、３０・・画素トランジスター、５０・・液晶層、７０・・フレキシブル配線基板（配線基板）、７０ｒ、７０ｋ、７０ｗ・・第１接続領域、７０ｓ、７０ｔ、７０ｕ・・第２接続領域、７３ａ、７３ｂ、７３ｒ、７３ｗ・・第１電極、７３ｃ、７３ｓ、７３ｕ・・第２電極、１００・・液晶装置、１０１・・データ線駆動回路、１０４・・走査線駆動回路、１００ａ・・画素、１１０・・画素領域、１２０・・画像表示領域
【図１】
2010266783.tif 000003
【図２】
2010266783.tif 000004
【図３】
2010266783.tif 000005
【図４】
2010266783.tif 000006
【図５】
2010266783.tif 000007
【図６】
2010266783.tif 000008
【図７】
2010266783.tif 000009
【図８】
2010266783.tif 000010
【図９】
2010266783.tif 000011
【図１０】
2010266783.tif 000012
【図１１】
2010266783.tif 000013
【図１２】
2010266783.tif 000014